(57)【要約】【課題】  暗い場所においても、ユーザが容易に電池室内の電池を交換できるようにする。【解決手段】  本発明の自動照明装置付電池室は、電池を出し入れするための開口部を有すると共に電池を収納する収納部と、開口部の蓋と、蓄積部と、発光部と、発光開始時間制御部とを備えている。蓄積部は、蓋が閉じているときに、電池が有する電力の一部を受けて蓄積する。発光部は、収納部内を照明する。発光開始時間制御部は、蓋が開いたとき、または、電池室から電池が取り外されたときに同期して、蓄積部に蓄積された電力を発光部に供給し始め、発光部による照明を開始させる。従って、電池の方向が識別できない程暗い環境下においても、ユーザは、電池交換を容易に済ませることができる。【選択図】      図１
2005079020.tif 000002
【特許請求の範囲】
【請求項１】
電池を出し入れするための開口部を有すると共に、前記電池を収納する収納部と、
前記開口部の蓋と、
前記蓋が閉じているときに、前記電池が有する電力の一部を受けて蓄積する蓄積部と、
前記収納部内を照明する発光部と、
前記蓋が開いたとき、または、前記収納部から前記電池が取り外されたときに同期して、前記蓄積部に蓄積された電力を前記発光部に供給し始め、前記発光部による照明を開始させる発光開始時間制御部と
を備えていることを特徴とする自動照明装置付電池室。
【請求項２】
請求項１記載の自動照明装置付電池室において、
前記収納部内における、前記発光部の照明光が当たる部分の少なくとも一部には、蓄光塗料が塗布されている
ことを特徴とする自動照明装置付電池室。
【請求項３】
請求項１または請求項２記載の自動照明装置付電池室と、
前記自動照明装置付電池室内の電池を電力源として、被写体に光を照射する照射部と
を備えていることを特徴とする電子閃光装置。
【発明の詳細な説明】
【技術分野】
【０００１】
本発明は、電池室を有する電子機器において、その電池室内を照明する技術に関する。特に本発明は、暗い場所においてよく使用される電子機器の電池室に関する。
【背景技術】
【０００２】
暗い場所においてよく使用される電子機器として、例えば、電子閃光装置や懐中電灯などが挙げられる。例えば電子閃光装置を使用する撮影においては、計算ダイヤルの操作、及び設定された情報を目視で確認することが困難なほど、周囲が暗い場合が想定される。そこで、特許文献１では、電子閃光装置の本体モールド上の露出情報目盛を、表示板照明用光源の光を導いて照明し、暗い場所での計算ダイヤルの操作を補助している。
【特許文献１】実用新案公報  昭６１−４１０８０  （第１−３項、図１−図３）
【発明の開示】
【発明が解決しようとする課題】
【０００３】
電子閃光装置や懐中電灯などは、一般に、内部の電池室に収納された電池を電力源としている。このため、例えば電子閃光装置の電池を交換する場合、電池を取り外すと同時に、その電力源が取り外されることになる。従って、電池を取り外した瞬間に、表示系統（計算ダイヤル等）の照明もオフする。この場合、周囲が暗いと、新しい電池を装填するに際して、電池のプラスマイナスの方向などを目視で確認することができない。このように、電子閃光装置や懐中電灯などは、暗い場所での電池交換が困難であり、不便であった。従って、暗い場所においても、ユーザが容易に電池室内の電池を交換できるようにして、ユーザの負担を軽減することが要望されていた。
【０００４】
本発明の目的は、暗い場所においても、ユーザが容易に電池室内の電池を交換できるようにする技術を提供することである。
【課題を解決するための手段】
【０００５】
請求項１の自動照明装置付電池室は、電池を出し入れするための開口部を有すると共に電池を収納する収納部と、開口部の蓋と、蓄積部と、発光部と、発光開始時間制御部とを備えていることを特徴とする。蓄積部は、蓋が閉じているときに、電池が有する電力の一部を受けて蓄積する。発光部は、収納部内を照明する。発光開始時間制御部は、蓋が開いたとき、または、電池室から電池が取り外されたときに同期して、蓄積部に蓄積された電力を発光部に供給し始め、発光部による照明を開始させる。
【０００６】
請求項２の自動照明装置付電池室は、請求項１記載の発明において、『収納部内における、発光部の照明光が当たる部分の少なくとも一部には、蓄光塗料が塗布されている』ことを特徴とする。
請求項３の電子閃光装置は、請求項１または請求項２記載の自動照明装置付電池室と、自動照明装置付電池室内の電池を電力源として、被写体に光を照射する照射部とを備えていることを特徴とする。
【発明の効果】
【０００７】
本発明では、蓋が開いたとき、または、電池室から電池が取り外されたときに同期して、蓄積部に蓄積された電力を発光部に供給し始め、電池室内の照明を開始する。従って、電池の方向が識別できない程暗い環境下においても、ユーザは、電池交換を容易に済ませることができる。
【発明を実施するための最良の形態】
【０００８】
以下、図面を用いて本発明の実施の形態を説明する。なお、各図において、同一要素には同一符号を付し、重複する説明を省略する。
＜第１の実施形態の構成＞
図１は、本発明の第１の実施形態における、電子閃光装置の自動照明装置付電池室を示す回路図である。第１の実施形態は、全請求項に対応する。図において、電子閃光装置１０は、自動照明装置付電池室１２と、制御回路２０とを有している。自動照明装置付電池室１２は、逆流防止用ダイオードＤ１と、大容量コンデンサＣ１と、負荷抵抗Ｒ１と、発光ダイオードＬＥＤと、Ｐチャネル型の電界効果型トランジスタ（以下、ＰＭＯＳトランジスタという）Ｑ１と、プルダウン用抵抗Ｒ２と、交換可能な電池Ｂａｔｔとを有している。
【０００９】
なお、電子閃光装置１０は、自動照明装置付電池室１２内の電池Ｂａｔｔを照明用電力源として、被写体に光を照射する照射部を備えている（照射部の位置は、後述する図３参照）。制御回路２０は、ユーザの操作または不図示のカメラ側からの指令に応じて、照射部による被写体を照明する動作を制御する。この動作の詳細、及び照射部の構造等は公知なので、説明を省略する。
【００１０】
図２は、自動照明装置付電池室１２の構造の一例を示す断面模式図である。図２（ａ）は、蓋が閉じた状態を示しており、図２（ｂ）は、蓋が開いた状態を示している。なお、図中の内部回路は、図１に示した自動照明装置付電池室１２、制御回路２０や、照射部に電力を供給する回路（図示せず）等を含む。また、本実施形態では一例として、電池Ｂａｔｔには、１．５Ｖの単三電池４本を直列に接続して用いるものとする。
【００１１】
図２（ｂ）に示すように、自動照明装置付電池室１２は、絶縁性の素材で形成された筐体２８と、開口部３０と、筐体２８に回動可能に取り付けられていると共に絶縁性の素材で形成された蓋３２とを有している。筐体２８には、４本の電池Ｂａｔｔを直列に接続するための導体部３６ａ、３６ｂ、３６ｃが取り付けられている。また、蓋３２にも、４本の電池Ｂａｔｔを直列に接続するための導体部３６ｄ、３６ｅが取り付けられている。
【００１２】
図２（ａ）に示すように、蓋３２が閉じた状態では、蓋３２により開口部３０が塞がれるため、筐体２８内からの電池Ｂａｔｔの脱落は防止され、電池Ｂａｔｔの交換ができない状態となる。また、蓋３２が閉じた状態では、４本の電池Ｂａｔｔは、導体部３６ａ、３６ｂ、３６ｃ、３６ｄ、３６ｅにより、電子閃光装置の内部回路に直列に接続される。
図２（ｂ）に示すように、蓋３２が開いた状態では、開口部３０を通して電池Ｂａｔｔの交換が可能な状態となる。また、蓋３２が開いた状態では、導体部３６ｄ、３６ｅが電池Ｂａｔｔから離れるため、４本の電池Ｂａｔｔは、いずれも一方の電極が開放された状態となる。従って、蓋３２が開いた状態では、電池Ｂａｔｔを取り外さなくても、電子閃光装置の内部回路に電流は流れない。
【００１３】
図３は、電子閃光装置１０の斜視図であり、特に蓋３２が開いた状態の自動照明装置付電池室１２の詳細を示している。なお、図３では、煩雑となることを避けるため、図２に示した電池Ｂａｔｔや導体部３６ａ〜３６ｅは省略されている。図に示すように、５つの面で構成される筐体２８内面の内、１つの面の開口部３０側には、発光ダイオードＬＥＤが、筐体２８内全体を照明可能な位置に取り付けられている。なお、発光ダイオードＬＥＤは、図１の回路図の通り１つのみを用いてもよいし、図３のように２つ用いてもよい。
【００１４】
また、５つの筐体２８内面の内、発光ダイオードＬＥＤが取り付けられている面に対向する面のほぼ全体に亘って、例えば緑色の蓄光塗料３８が塗布されている。そして、蓄光塗料３８の塗布面における、電池Ｂａｔｔの正極側端子が装填される位置に対向する位置には、蓄光塗料３８とは異なる色（例えばピンク色）の蓄光塗料４０ａ、４０ｂ、４０ｃ、４０ｄが塗布されている。同様に、蓄光塗料３８の塗布面における、電池Ｂａｔｔの負極側端子が装填される位置に対向する位置には、蓄光塗料３８とは異なる色（例えばピンク色）の蓄光塗料４０ｅ、４０ｆ、４０ｇ、４０ｈが塗布されている。
【００１５】
蓄光塗料４０ａ、４０ｂ、４０ｃ、４０ｄの平面形状は＋であり、蓄光塗料４０ｅ、４０ｆ、４０ｇ、４０ｈの平面形状は−である。従って、蓄光塗料４０ａ〜４０ｈを光らせれば、自動照明装置付電池室１２内のどこに電池Ｂａｔｔの正極または負極を合わせればよいかの目印になる。なお、蓄光塗料３８は、蓄光塗料４０ａ〜４０ｈが塗布されている部分を除いて、筐体２８内面の全域に亘って塗布してもよい。
【００１６】
＜第１の実施形態の動作説明＞
以下、図１及び図２を用いて、自動照明装置付電池室１２の回路動作を説明する。
図２（ａ）のように、４本の電池Ｂａｔｔが自動照明装置付電池室１２内に正常に収納されており、蓋３２が閉じている状態では、大容量コンデンサＣ１は、逆流防止用ダイオードＤ１を介して電池Ｂａｔｔにより充電される（図１参照）。直列に接続された４本の電池Ｂａｔｔの電池電圧をＥ、逆流防止用ダイオードＤ１での電圧降下をＶｄとすれば、大容量コンデンサＣ１は、電極間の電圧がＥ−Ｖｄに等しくなるまで充電される。本実施例では単三電池４本を使用しているので、Ｅ＝１．５×４＝６Ｖである。従って、例えばＶｄ＝０．５Ｖとすれば、大容量コンデンサＣ１は、電圧が５．５Ｖになるまで充電される。
【００１７】
なお、逆流防止用ダイオードＤ１があるため、大容量コンデンサＣ１からの放電電流が制御回路２０に流れることはない。また、この状態では、ＰＭＯＳトランジスタＱ１のゲート−ソース間電圧Ｖｇｓは、電池電圧Ｅに等しい。従って、ＰＭＯＳトランジスタＱ１がオフ状態（ドレイン−ソース間が絶縁）であるため、発光ダイオードＬＥＤに電流は流れない。
【００１８】
図２（ｂ）のように、電池交換のために蓋３２を開けた状態では、いずれの電池Ｂａｔｔも一方の電極が開放された状態となり、回路的には電池Ｂａｔｔを取り外した状態に等しくなる。これにより、プルダウン用抵抗Ｒ２の両端の電圧は０Ｖ近辺まで下がるため、ＰＭＯＳトランジスタＱ１のゲートーソース間電圧Ｖｇｓは０Ｖになる。このため、ＰＭＯＳトランジスタＱ１のドレイン−ソース間は、導通する。
【００１９】
従って、蓋３２が閉じていた期間に大容量コンデンサＣ１に蓄積された電荷は、蓋３２を開けた瞬間に、負荷抵抗Ｒ１、発光ダイオードＬＥＤ、ＰＭＯＳトランジスタＱ１の経路で放電し始める。即ち、蓋３２を開けた瞬間に、発光ダイオードＬＥＤは、この放電電流により発光し始める。大容量コンデンサＣ１は、その電圧が発光ダイオードＬＥＤの順方向電圧降下に近くなるまで、放電する。
【００２０】
そして、発光ダイオードＬＥＤが発光している期間、自動照明装置付電池室１２の内面に塗布された蓄光塗料３８、４０ａ〜４０ｈは、その光を吸収する。このため、暗い場所で蓋３２を開けてから、発光ダイオードＬＥＤが発光を停止した後も、蓄光塗料３８、４０ａ〜４０ｈが発光することにより、自動照明装置付電池室１２内は明るく保たれる。なお、蓄光塗料３８、４０ａ〜４０ｈの発光時間は、発光ダイオードＬＥＤの発光期間に蓄光塗料３８、４０ａ〜４０ｈに吸収される光量に依存する。
【００２１】
次に、発光ダイオードＬＥＤの発光時間ｔを考えるため、１つの発光ダイオードＬＥＤの順方向電圧降下Ｌｄを２Ｖ、発光ダイオードＬＥＤが発光するのに適正な電流値を２０ｍＡとする。発光ダイオードＬＥＤを１つのみ用いる場合、負荷抵抗Ｒ１の抵抗値Ｒとして適正な値は、次式で求められる。
（Ｅ−Ｌｄ−Ｖｄ）÷０．０２
＝（６−２−０．５）÷０．０２＝１７５［オーム］・・・（１）
負荷抵抗Ｒ１の抵抗値Ｒを１７５［オーム］として、発光ダイオードＬＥＤを６０秒間発光させるのに必要な大容量コンデンサＣ１の容量Ｃを考える。２０ｍＡの電流を６０秒間流すのに必要な電荷量（クーロン）は、０．０２×６０＝１．２［Ｃ］である。また、大容量コンデンサＣ１の電圧は、放電開始時には５．５Ｖであり、放電停止時には発光ダイオードＬＥＤの順方向電圧降下（約２Ｖ）に等しい。従って、大容量コンデンサＣ１の電圧は、放電により、３．５Ｖ下がる。即ち、大容量コンデンサＣ１の容量（ファラド）としては、少なくとも次式で与えられる値が必要である。
１．２［Ｃ］÷３．５［Ｖ］＝０．３４［Ｆ］・・・（２）
発光ダイオードＬＥＤを２つ直列に接続する場合には、大容量コンデンサＣ１の電圧は、放電停止時には約４Ｖになる。この場合、大容量コンデンサＣ１の電圧は、放電により５．５Ｖから４Ｖまで下がるから、大容量コンデンサＣ１の容量としては、少なくとも次式で与えられる値が必要である。
１．２［Ｃ］÷１．５［Ｖ］＝０．８［Ｆ］・・・（３）
従って、発光ダイオードＬＥＤを２つ直列に接続する場合、大容量コンデンサＣ１の容量は、１［Ｆ］あれば十分である。なお、発光時間ｔは、およそＥ×Ｒ×（Ｃ１の容量）に比例する。
【００２２】
＜第１の実施形態の効果＞
第１の実施形態では、蓋３２が開いたときに同期して、大容量コンデンサＣ１に放電を開始させることで、放電電流の経路に挿入された発光ダイオードＬＥＤの発光を開始させ、筐体２８内を照明する。従って、電池Ｂａｔｔの方向が識別できない程暗い環境下においても、ユーザは、発光ダイオードＬＥＤが発光している間に電池Ｂａｔｔを取り外して新しい電池を装填すれば、電池交換を容易に速やかに済ませることができる。
【００２３】
また、発光ダイオードＬＥＤが発光を停止した後も、蓄光塗料３８、４０ａ〜４０ｈが発光することにより、自動照明装置付電池室１２内は明るく保たれる。このため、自動照明装置付電池室１２内が明るく保たれる時間を、より長くできる。従って、ユーザは、暗い場所での電池交換に際して、急いで行う必要はなく、ゆっくり行ってもよい。
蓄光塗料４０ａ〜４０ｈの塗布領域の平面形状を＋及び−として、自動照明装置付電池室１２内のどちら側に電池Ｂａｔｔの正極を合わせればよいかが分かるようした。この結果、ユーザの利便性は多いに向上する。さらに、大容量コンデンサＣ１の放電開始を制御するスイッチング素子として、ＰＭＯＳトランジスタＱ１を使用する。このため、Ｑ１がバイポーラトランジスタの場合よりも、プルダウン用抵抗Ｒ２の抵抗値を（例えば１メガオーム以上に）高くできる。
【００２４】
＜第１の実施形態の補足事項＞
［１］  なお、第１の実施形態では、蓋３２が開いたときに同期して、電池室内の照明を開始する例を述べた。本発明は、かかる実施形態に限定されるものではない。電池室から電池を取り出したときに同期して、コンデンサの放電により電池室内の照明を開始するようにしてもよい。この場合、例えば、電池を収納する筐体、蓋、導体部の構造を図４のようにすればよい。図４の構造では、４本の電池Ｂａｔｔは、正常に収納された状態では、蓋の開閉状態に拘わらずに直列に接続される。そして、いずれかの電池Ｂａｔｔを取り外したとき、図１の回路から電池Ｂａｔｔを取り外した状態と等価になり、発光ダイオードＬＥＤの発光が開始する。以上の点は、後述する第２の実施形態についても同様である。
【００２５】
［２］  電子閃光装置の電池室に本発明を適用する例を述べた。本発明は、かかる実施形態に限定されるものではない。本実施形態の自動照明装置付電池室１２は、例えば、懐中電灯などの電池室にも適用可能である。これは、後述する第２、第３の実施形態についても同様である。
［３］  負荷抵抗Ｒ１として、ユーザにより調整可能な可変抵抗を用いることで、ユーザが発光時間ｔを調整できるようにしてもよい。この場合、負荷抵抗Ｒ１の抵抗値がとり得る値の範囲は、発光ダイオードＬＥＤに流れる電流値が適正範囲内（例えば３ｍＡ〜２０ｍＡ）になるものであることが条件である。
【００２６】
［４］  最後に、請求項と第１の実施形態との対応関係を説明する。なお、以下に示す対応関係は、参考のために示した一解釈であり、本発明を限定するものではない。
請求項記載の収納部は、筐体２８に対応する。請求項記載の蓄積部は、大容量コンデンサＣ１に対応する。請求項記載の発光部は、発光ダイオードＬＥＤに対応する。請求項記載の発光開始時間制御部は、『蓋３２が開いたときに同期して、筐体２８内のいずれの電池Ｂａｔｔも一方の電極が開放状態となるように形成された、筐体２８、蓋３２、及び導体部３６ａ〜３６ｅの構造』に対応する。
【００２７】
＜第２の実施形態＞
図５（ａ）は、本発明の第２の実施形態における電子閃光装置の自動照明装置付電池室を示す回路図である。第２の実施形態は、全請求項に対応する。電子閃光装置５０は、図に示す自動照明装置付電池室５６と、制御回路５８と、不図示の照射部とを有している。自動照明装置付電池室５６は、逆流防止用ダイオードＤ１と、大容量コンデンサＣ２と、負荷抵抗Ｒ３と、発光ダイオードＬＥＤと、スイッチＳＷ１と、交換可能な電池Ｂａｔｔとを有している。なお、制御回路５８及び照射部の機能等は公知なので、説明を省略する。
【００２８】
図５（ｂ）は、スイッチＳＷ１の構造の一例を、自動照明装置付電池室５６の構造と共に示す模式図である。図に示すように、自動照明装置付電池室５６は、絶縁性の素材で形成された筐体６０と、開口部６２と、筐体６０に回動可能に取り付けられていると共に絶縁性の素材で形成された蓋６４とを有している。蓋６４には、４本の電池Ｂａｔｔを直列に接続するための導体部７０ａ、７０ｂが取り付けられている。筐体６０にも、４本の電池Ｂａｔｔを直列に接続するための導体部７０ｃ、７０ｄ、７０ｅが取り付けられている。さらに、筐体６０の１つの内壁は突出しており、この突出した部分には、配線に接続された導体部７０ｆが導体部７０ｅに向けて突出するように埋め込まれている。なお、導体部７０ｅと筐体６０との間には、ばね７４が取り付けられている。また、筐体６０の内面には、第１の実施形態と同様に、２種類の色の蓄光塗料が塗布されている（図示せず）。なお、スイッチＳＷ１は、例えば、導体部７０ｅ、７０ｆと、ばね７４とに対応する。
【００２９】
図５（ｂ）のように電池Ｂａｔｔが電池室２４に正常に収納されており、蓋６４が閉じた状態では、導体部７０ｅは、電池Ｂａｔｔにより筐体６４の内面側（図の下方向）に押圧されている。この状態では、ばね７４は縮んでおり、導体部７０ｅと７０ｆとは接触しない。従って、この状態は、図５（ａ）の回路図において、スイッチＳＷ１が開いた（絶縁）状態である。
【００３０】
蓋６４を開けると、ばね７４が伸びるために、導体部７０ｆ側の１つの電池Ｂａｔｔは、導体部７０ｅと共に蓋６４側に押し上げられる。これにより、導体部７０ｅと７０ｆとが接触するため、これらは電気的に接続される。従って、蓋６４を開けた状態は、図５（ａ）の回路図において、スイッチＳＷ１が閉じた状態（導通）である。
次に、自動照明装置付電池室５６の回路動作を説明する。まず、４本の電池Ｂａｔｔが自動照明装置付電池室５６内に正常に収納されており、蓋６４が閉じている状態では、大容量コンデンサＣ２は、逆流防止用ダイオードＤ１を介して電池Ｂａｔｔにより、電圧がＥ−Ｖｄになるまで充電される。この状態では、スイッチＳＷ１は絶縁状態なので、発光ダイオードＬＥＤに電流は流れない。逆流防止用ダイオードＤ１があるため、大容量コンデンサＣ２からの放電電流が制御回路５８に流れることはない。
【００３１】
一方、蓋６４を開ける場合、開けた瞬間に同期して、スイッチＳＷ１はメカ機構によって導通状態となる。これにより、大容量コンデンサＣ２に蓄積された電荷は、負荷抵抗Ｒ２、発光ダイオードＬＥＤの経路で放電し始める。即ち、蓋６４を開けた瞬間に、発光ダイオードＬＥＤは、この放電電流により発光し始める。大容量コンデンサＣ２は、その電圧が発光ダイオードＬＥＤの順方向電圧降下に近くなるまで、放電する。なお、発光ダイオードＬＥＤの発光時間ｔの長さは、第１の実施形態と同様に、およそ
（電池電圧Ｅ）×（負荷抵抗Ｒ３の抵抗値）×（Ｃ２の容量）に比例する。
【００３２】
以上、第２の実施形態においても、第１の実施形態と同様の効果を得ることができる。最後に、請求項と第２の実施形態との対応関係を説明する。なお、以下に示す対応関係は、参考のために示した一解釈であり、本発明を限定するものではない。請求項記載の収納部は、筐体６０に対応する。請求項記載の蓄積部は、大容量コンデンサＣ２に対応する。請求項記載の発光部は、発光ダイオードＬＥＤに対応する。請求項記載の発光開始時間制御部は、スイッチＳＷ１に対応する。
【００３３】
＜第３の実施形態＞
図６は、本発明の第３の実施形態における電子閃光装置の自動照明装置付電池室を示す回路図である。第３の実施形態は、全請求項に対応する。電子閃光装置８０は、図に示すキセノン管Ｘｅと、昇圧回路８４と、自動照明装置付電池室８６と、制御回路８８とを有している。自動照明装置付電池室８６は、発光用メインコンデンサＣ３と、スイッチＳＷ２と、ネオン管Ｎｅと、ネオン管Ｎｅに対する電流制限抵抗Ｒ４（１０メガオーム以上）と、逆流防止用ダイオードＤ１と、交換可能な電池Ｂａｔｔとを有している。
【００３４】
なお、請求項記載の蓄積部は発光用メインコンデンサＣ３に対応し、請求項記載の発光部はネオン管Ｎｅに対応し、請求項記載の発光開始時間制御部はスイッチＳＷ２に対応する。また、請求項記載の照射部は、キセノン管Ｘｅ及び昇圧回路８４に対応する。この昇圧回路８４及び制御回路８８の機能等は公知なので、説明を省略する。
スイッチＳＷ２は、自動照明装置付電池室８６内から電池Ｂａｔｔが取り出されたとき、メカ機構によってオン（導通）状態となる。また、電池Ｂａｔｔが自動照明装置付電池室８６内に正常に収納されている状態では、スイッチＳＷ２は、メカ機構によってオフ（絶縁）状態となる。このようなスイッチＳＷ２としては、例えば、筐体、蓋、導体部等を前述した図４のように配置させたものに、図５（ｂ）に示したスイッチＳＷ１の構造（導体部７０ｅ、７０ｆ、ばね７４）を組み込めばよい。本実施形態では、スイッチＳＷ２及び自動照明装置付電池室８６の構造の概要を示す図を省略する。なお、本実施形態においても、第１の実施形態と同様に、自動照明装置付電池室８６の筐体（図示せず、請求項記載の収納部に対応）の内面には、２種類の色の蓄光塗料が塗布されている。
【００３５】
次に、自動照明装置付電池室８６の回路動作を説明する。まず、４本の電池Ｂａｔｔが自動照明装置付電池室８６内に正常に収納されている状態では、スイッチＳＷ２は絶縁状態となっているので、ネオン管Ｎｅに電流は流れない。このとき、発光用メインコンデンサＣ３は、昇圧回路８４によって３００Ｖ近くまで充電される。なお、フル発光を行った後でも、発光用メインコンデンサＣ３にはおよそ６０Ｖ以上の電圧が残り、これは、ネオン管Ｎｅを点灯させるための充電電圧として充分である。
【００３６】
自動照明装置付電池室８６内から電池Ｂａｔｔが取り出されたとき、スイッチＳＷ２は、導通状態となる。これに同期して、発光用メインコンデンサＣ３に蓄積されている電荷は、電流制限抵抗Ｒ４、ネオン管Ｎｅ、スイッチＳＷ２の経路で放電し始める。これにより、ネオン管Ｎｅは発光を開始し、自動照明装置付電池室８６内は照明される。
以上、第３の実施形態においても、第１の実施形態と同様の効果を得ることができる。さらに、本実施形態では、電池室内の照明源として、ネオン管Ｎｅを用いる。ネオン管Ｎｅの発光に必要な電流は数μＡでもよいため、発光ダイオードＬＥＤを用いる場合よりも長時間点灯させることができる。なお、第３の実施形態では、電池Ｂａｔｔが取り出されたときに同期して、照明を開始する例を述べた。本発明は、かかる実施形態に限定されるものではない。蓋が開いたときに同期して、スイッチＳＷ２が導通状態に切り替わり、発光用メインコンデンサＣ３の放電により照明が開始されるようにしてもよい。
【産業上の利用可能性】
【００３７】
以上詳述したように本発明は、電池室の分野において多いに利用可能である。
【図面の簡単な説明】
【００３８】
【図１】本発明の第１の実施形態の電子閃光装置の回路図である。
【図２】第１の実施形態の電子閃光装置の電池室の断面模式図である。
【図３】第１の実施形態の電子閃光装置の斜視図であり、特に蓋３２が開いた状態の電池室２４を示している。
【図４】第１の実施形態の変形例であり、電池が取り外されたときに同期して照明が開始される電池室の断面模式図である。
【図５】本発明の第２の実施形態の電子閃光装置の模式図、及び回路図である。
【図６】本発明の第３の実施形態の電子閃光装置の回路図である。
【符号の説明】
【００３９】
１０  電子閃光装置
１２  自動照明装置付電池室
２０  制御回路
２８  筐体
３０  開口部
３２  蓋
３６ａ、３６ｂ、３６ｃ、３６ｄ、３６ｅ  導体部
３８  蓄光塗料
４０ａ、４０ｂ、４０ｃ、４０ｄ、４０ｅ、４０ｆ、４０ｇ、４０ｈ  蓄光塗料
５０  電子閃光装置
５６  自動照明装置付電池室
５８  制御回路
６０  筐体
６２  開口部
６４  蓋
７０ａ、７０ｂ、７０ｃ、７０ｄ、７０ｅ  導体部
７４  ばね
８０  電子閃光装置
８４  昇圧回路
８６  自動照明装置付電池室
８８  制御回路
Ｂａｔｔ  電池
Ｃ１、Ｃ２  大容量コンデンサ
Ｃ３  発光用メインコンデンサ
Ｄ１  逆流防止用ダイオード
Ｒ１、Ｒ３  負荷抵抗
Ｒ２  プルダウン用抵抗
Ｒ４  電流制限抵抗
ＬＥＤ  発光ダイオード
Ｎｅ  ネオン管
Ｑ１  ＰＭＯＳトランジスタ
ＳＷ１、ＳＷ２  スイッチ
Ｘｅ  キセノン管
【図１】
2005079020.tif 000003
【図２】
2005079020.tif 000004
【図３】
2005079020.tif 000005
【図４】
2005079020.tif 000006
【図５】
2005079020.tif 000007
【図６】
2005079020.tif 000008